(57)【要約】【課題】連結された器具本体に段差を生ずることがなく意匠面で良好にすることができるとともに生産性の向上を図ることができる照明器具を提供する。【解決手段】  照明器具１０は、器具本体と、器具本体に取り付けられ、長手方向に突き合わされて連結される一対の反射板１６，２０と、を備え、一方の反射板１６は、突き合わせ面３１に凹状部４５を形成しているとともに天井面に当接する鍔部３４に係止部５０を有し、他方の反射板２０は、突き合わせ面３８に凹状部４５に嵌合される凸状部４７を形成しているとともに鍔部４１に係止部５０に係止される係止部受５２を有する。【選択図】図７
2011113748.tif 000002
【特許請求の範囲】
【請求項１】
器具本体と、
器具本体に取り付けられ、長手方向に突き合わされて連結される一対の反射板と、
を備えた照明器具であって、
前記一方の反射板は、突き合わせ面に凹状部を形成しているとともに天井面に当接する鍔部に係止部を有し、
前記他方の反射板は、突き合わせ面に前記凹状部に嵌合される凸状部を形成しているとともに鍔部に前記係止部に係止される係止部受を有する照明器具。
【請求項２】
前記係止部と前記係止部受とは、互いに嵌合する方向に押圧される請求項１に記載の照明器具。
【請求項３】
前記反射板は、前記器具本体側に取り付けられることにより、前記係止部と前記係止部受とを互いに嵌合する方向に押圧可能である請求項１又は２に記載の照明器具。
【請求項４】
器具本体と、
器具本体に取り付けられ、長手方向に突き合わされて連結される一対の反射板と、
を備えた照明器具であって、
前記一方の反射板は、突き合わせ面に凹状部を形成しているとともに天井面に当接する鍔部に係止部を有する一方のソエ板を取付けており、
前記他方の反射板は、突き合わせ面に前記凹状部に嵌合される凸状部を形成しているとともに鍔部に前記係止部に係止される係止部受を有する他方のソエ板を取付けた照明器具。
【発明の詳細な説明】
【技術分野】
【０００１】
本発明は、例えば住宅や工場等の天井施工面に埋め込まれる埋設型の照明器具に関し、特に長手方向に複数連結される照明器具に関する。
【背景技術】
【０００２】
従来の照明器具の一例として、一方の反射板の傾斜板部に案内金具を取付け、他方の反射板の傾斜板部に当板を取付け、案内金具と当板とを係合させて２個の反射板が連結されるものがある（例えば、特許文献１参照）。
【先行技術文献】
【特許文献】
【０００３】
【特許文献１】特開平５−３３４９０５号公報（図１、段落番号００２０，００２２）
【発明の概要】
【発明が解決しようとする課題】
【０００４】
ところが、上記特許文献１に開示された従来の照明器具では、天井施工面に埋設するに際し、天井施工面に凹凸面があると、その凹凸面により、案内金具と当板とが反射板の上下方向に位置ずれする。
従って、上記特許文献１に開示された従来の照明器具では、一方の反射板と他方の反射板との間に段差を生ずる虞がある。
【０００５】
加えて、上記特許文献１に開示された従来の照明器具では、一方の反射板の二対の傾斜板部に二対の案内金具をそれぞれ取付け、他方の反射板の二対の傾斜板部に案内金具とは異なる形状の二対の当板をそれぞれ取付けている。
従って、上記特許文献１に開示された従来の照明器具では、部品点数の増加に伴い、部品管理の工数を多く必要とするばかりか、異形部品の製造により、生産性の向上を図り難い。
【０００６】
本発明は、前述した課題を解決するためになされたものであり、その目的は、連結された反射板に段差を生ずることがなく意匠面で良好にすることができるとともに生産性の向上を図ることができる照明器具を提供することにある。
【課題を解決するための手段】
【０００７】
本発明に係る照明器具は、器具本体と、器具本体に取り付けられ、長手方向に突き合わされて連結される一対の反射板と、を備えた照明器具であって、前記一方の反射板は、突き合わせ面に凹状部を形成しているとともに天井面に当接する鍔部に係止部を有し、前記他方の反射板は、突き合わせ面に前記凹状部に嵌合される凸状部を形成しているとともに鍔部に前記係止部に係止される係止部受を有する。
【０００８】
本発明において、一方の反射板の突き合わせ面を他方の反射板の突き合わせ面に突き合わせると、互いの突き合わせ面において凹状部が凸状部に嵌合されるとともに、互いの鍔部において係止部が係止部受に係止される。
従って、本発明においては、連結された反射板に段差を生ずることがなく意匠面で良好にすることができるとともに生産性の向上を図ることができる。
【０００９】
本発明に係る照明器具は、上記照明器具において、前記係止部と前記係止部受とは、互いに嵌合する方向に押圧される。
【００１０】
本発明において、係止部と係止部受とが互いに嵌合する方向に押圧されているために、一旦嵌合された後に容易に外れることがない。
【００１１】
本発明に係る照明器具は、上記照明器具において、前記反射板は、前記器具本体側に取り付けられることにより、前記係止部と前記係止部受とを互いに嵌合する方向に押圧可能である。
【００１２】
本発明において、反射板は、器具本体側に取り付けられる際に変形して係止部と係止部受とを嵌合する方向に押圧するために、容易に外れることがない強固な嵌合構造を作り出すことができる。
【００１３】
本発明に係る照明器具は、器具本体と、器具本体に取り付けられ、長手方向に突き合わされて連結される一対の反射板と、を備えた照明器具であって、前記一方の反射板は、突き合わせ面に凹状部を形成しているとともに天井面に当接する鍔部に係止部を有する一方のソエ板を取付けており、前記他方の反射板は、突き合わせ面に前記凹状部に嵌合される凸状部を形成しているとともに鍔部に前記係止部に係止される係止部受を有する他方のソエ板を取付けた。
【００１４】
本発明において、一方の反射板の突き合わせ面を他方の反射板の突き合わせ面に突き合わせると、互いの突き合わせ面において凹状部が凸状部に嵌合されるとともに、互いの鍔部において一方の反射板に有する一方のソエ板の係止部が他方の反射板に有する他方のソエ板の係止部受に係止される。
従って、本発明においては、連結された反射板に段差を生ずることがなく意匠面で良好にすることができるとともに生産性の向上を図ることができる。
【発明の効果】
【００１５】
本発明の照明器具によれば、一方の反射板の突き合わせ面を他方の反射板の突き合わせ面に突き合わせると、互いの突き合わせ面において凹状部が凸状部に嵌合されるとともに、互いの鍔部において係止部が係止部受に係止される。
これにより、本発明の照明器具によれば、連結された反射板に段差を生ずることがなく意匠面で良好にすることができるとともに生産性の向上を図ることができるという効果を有する。
【図面の簡単な説明】
【００１６】
【図１】本発明に係る一実施形態の照明器具の斜め下方から視た分解斜視図
【図２】図１の照明器具に適用されるソエ板部材の正面図
【図３】図２のソエ板部材の底面図
【図４】図２のソエ板部材の係止部周りの正面図
【図５】図２のソエ板部材の側面図
【図６】図５のソエ板部材の係止部受周りの拡大図
【図７】図１の照明器具の反射板連結前の底面図
【図８】図７の側面図
【図９】図１の照明器具の反射板連結後の底面図
【図１０】図９の側面図
【図１１】図１の照明器具のツマミネジの締込み前の正面図
【図１２】図１の照明器具のツマミネジの締込み後の正面図
【図１３】図１の照明器具のツマミネジの締込み後の側面図
【図１４】図１３の一部破断正面図
【発明を実施するための形態】
【００１７】
以下、本発明の一実施形態に係る照明器具について図面を参照して説明する。
図１に示すように、本発明の一実施形態である照明器具１０は、第１照明部１１と、第２照明部１２とを長手方向に連接しており、天井面（図１２参照）１に形成された埋設孔（図１２参照）２に埋め込まれて設置される。第１照明部１１は、第１器具本体１３と、一対の第１反射板アダプタ１４と、第１ソエ板部材１５を有する第１反射板１６とを備え、第２照明部１２は、第２器具本体１７と、一対の第２反射板アダプタ１８と、第２ソエ板部材１９を有する第２反射板２０とを備える。
【００１８】
第１器具本体１３は、垂直断面視コ字形状に形成されており、内側の裏面に安定器２１が取り付けられている。第１器具本体１３は、両端部に一対のソケット支持部材２２がそれぞれ取り付けられており、ソケット支持部材２２のそれぞれに二対のランプソケット２３が対向して下方に向けて突出して取り付けられている。安定器２１には、天井面１から不図示の電源線が引き込まれ、安定器２１からは、不図示の器具電線がランプソケット２３にそれぞれ電気的に接続される。ランプソケット２３には不図示の蛍光ランプが装着される。第１反射板アダプタ１４は、板形状に形成された本体部２４の両端部に一対の足部２５を下方に向けてそれぞれ突出して有し、本体部２４が、第１器具本体１３の長手方向における所定の２か所の下側において第１器具本体１３に直交して取り付けられている。本体部２４には、ツマミネジ２６用の一対のネジ孔２７が設けられている。
【００１９】
第１反射板１６は、天板２８と、一対の側板２９と、単一の端板３０と、を有して下方が開放されており、端板３０に対向する面に第１突き合わせ面３１を有し、第１突き合わせ面３１の内面に第１ソエ板部材１５が溶接などの接合手段により固定されている。天板２８には、ツマミネジ２６用の二対のネジ挿通孔３２がそれぞれ形成されているとともに、端部寄りに、ランプソケット２３挿通用の四角孔形状をなす二対のソケット孔３３がそれぞれ形成されている。第１反射板１６は、側板２９の下端縁に、天井面１に下方から当接する鍔部３４を有する。
【００２０】
第２器具本体１７および第２反射板アダプタ１８は、第１器具本体１３および第１反射板アダプタ１４と同一形状に形成されているために、安定器２１、一対のソケット支持部材２２、二対のランプソケット２３、本体部２４、足部２５、ツマミネジ２６用の一対のネジ孔２７をそれぞれ有する。
【００２１】
第２反射板２０は、天板３５と、一対の側板３６と、単一の端板３７と、を有して下方が開放されており、端板３７に対向する面に第２突き合わせ面３８を有し、第２突き合わせ面３８の内面に第２ソエ板部材１９が溶接などの接合手段により固定されている。天板３５には、ツマミネジ２６用の二対のネジ挿通孔３９がそれぞれ形成されているとともに、端部寄りに、ランプソケット２３挿通用の二対のソケット孔４０がそれぞれ形成されている。第２反射板２０は、側板３６の下端縁に、天井面１に下方から当接する鍔部４１を有する。
【００２２】
図２、図３、図４、図５、図６に示すように、第１ソエ板部材１５は、第１反射板１６に相似する断面形状を有して、第１反射板１６よりも十分に短い長さ寸法を有する。第１ソエ板部材１５は、天部に配置されている反射板取付板部４２と、反射板取付板部４２の両端部から下方に向けて延出された一対の側板部４３とを有する。反射板取付板部４２には、強度を確保するための複数のリブ４４が長さ方向に形成されており、一方の端縁部４５に第１反射板１６のそれぞれのソケット孔３３および第２反射板２０のそれぞれのソケット孔４０に対応する短寸側ソケット孔逃げ部４６が、他方の端縁部４７に第１反射板１６のそれぞれのソケット孔３３および第２反射板２０のそれぞれのソケット孔４０に対応する長寸側ソケット孔逃げ部４８が、それぞれ形成されている。
【００２３】
第１ソエ板部材１５は、一方の端縁部４５側の側板部４３の先端部に長手方向に突出された一対の突出板部４９を有し、一対の突出板部４９に一対の係止部５０をそれぞれ有する。第１ソエ板部材１５は、他方の端縁部４７側の側板部４３の先端部に長手方向に凹設された一対の凹設板部５１を有し、一対の凹設板部５１に一対の係止部５０に嵌合される一対の係止部受５２をそれぞれ有する。第２ソエ板部材１９は、第１ソエ板部材１５と同一形状に形成されているために、反射板取付板部４２、一対の側板部４３、複数のリブ４４、一方の端縁部４５、短寸側ソケット孔逃げ部４６、他方の端縁部４７、長寸側ソケット孔逃げ部４８、一対の突出板部４９、一対の係止部５０、一対の凹設板部５１、一対の係止部受５２をそれぞれ有する。
【００２４】
次に、第１反射板１６と第２反射板２０との連結について説明する。
図７、図８に示すように、第１ソエ板部材１５は、第１反射板１６の第１突き合わせ面３１において、短寸側ソケット孔逃げ部４６が第１反射板１６のソケット孔３３に対応した位置に固定されている。そのため、第１ソエ板部材１５は、一方の端縁部４５が、第１反射板１６の第１突き合わせ面３１よりも引っ込んだ凹状に形成されており、一対の係止部５０を有する一対の突出板部４９が第１突き合わせ面３１に略一致して配置されている。一方、第２ソエ板部材１９は、第２反射板２０の第２突き合わせ面３８において、長寸側ソケット孔逃げ部４８が第２反射板２０のソケット孔４０に対応した位置に固定されている。そのため、第２ソエ板部材１９は、他方の端縁部４７が、第２反射板２０の第２突き合わせ面３８からわずかに飛び出した凸状に形成されており、一対の係止部受５２を有する一対の凹設板部５１が第２突き合わせ面３８から突出されている。
【００２５】
図９、図１０に示すように、第１反射板１６と第２反射板２０とが引き寄せられて、第１反射板１６の第１突き合わせ面３１と第２反射板２０の第２突き合わせ面３８とが当接されると、第１ソエ板部材１５の一方の端縁部４５と第２反射板２０の他方の端縁部４７とが嵌合されることにより、第１反射板１６と第２反射板２０とが幅方向に位置ずれを防止されて結合され、第１ソエ板部材１５の突出板部４９が第２ソエ板部材１９の凹設板部５１に挿入されて第１ソエ板部材１５の係止部５０が第２ソエ板部材１９の係止部受５２に係止されることにより、第１反射板１６と第２反射板２０とが上下方向に位置ずれを防止されて結合される。
【００２６】
図１１、図１２、図１３に示すように、次に、ツマミネジ２６が、第１反射板１６のツマミネジ２６用のネジ挿通孔３２、第２反射板２０のツマミネジ２６用のネジ挿通孔３９を通じて、第１反射板アダプタ１４のツマミネジ２６用の一対のネジ孔２７、第２反射板アダプタ１８のツマミネジ２６用の一対のネジ孔２７にそれぞれネジ込まれる。すると、第１反射板１６の天板２８および第２反射板２０の天板３５が、第１反射板アダプタ１４の本体部２４および第２反射板アダプタ１８の本体部２４に接近しながら変形され、それに伴い、第１ソエ板部材１５の係止部５０が第２ソエ板部材１９の係止部受５２に向けて押圧されることにより、第１ソエ板部材１５の係止部５０が第２ソエ板部材１９の係止部受５２に強固に嵌合される。
【００２７】
照明器具１０は、天井面１に形成されている埋設孔２に下方から進行されることにより、第１反射板１６の鍔部３４および第２反射板２０の鍔部４１を天井面１に当接させて天井面１に設置される。このとき、第１反射板１６の鍔部３４および第２反射板２０の鍔部４１が直線で天井面１に当接するために、天井面１の内装材３に凹凸があったとしても、内装材３の凹凸の影響を受けることなく、第１反射板１６の第１突き合わせ面３１と第２反射板２０の第２突き合わせ面３８に段差が生ずることがない。
【００２８】
図１４に示すように、第１反射板１６に取り付けられた第１ソエ板部材１５は、側板部４３と第１反射板１６の側板２９（３６）との間に形成された空隙部５３と、側板部４３の下端部に形成された湾曲部５４とが、第２反射板２０との突き合わせを容易に行えるように機能する。
【００２９】
以上説明してきたように、本発明の一実施形態の照明器具１０では、第１反射板１６の第１突き合わせ面３１を第２反射板２０の第２突き合わせ面３８に突き合わせると、互いの突き合わせ面３１，３８において第１ソエ板部材１５の一方の端縁部４５が第２ソエ板部材１９の他方の端縁部４７に嵌合されるとともに、互いの鍔部３４，４１において係止部５０が係止部受５２に係止される。
従って、本発明の一実施形態の照明器具１０では、連結された各反射板１６，２０に段差を生ずることがなく意匠面で良好にすることができるとともに生産性の向上を図ることができる。
【００３０】
本発明の一実施形態の照明器具１０では、係止部５０と係止部受５２とが互いに嵌合する方向に押圧されているために、一旦嵌合された後に容易に外れることがない。
【００３１】
本発明の一実施形態の照明器具１０では、第１反射板１６および第２反射板２０が各反射板アダプタ１４，１８に取り付けられる際に第１ソエ板部材１５および第２ソエ板部材１９がそれぞれ変形して係止部５０と係止部受５２とを嵌合する方向に押圧するために、容易に外れることがない強固な嵌合構造を作り出すことができる。
【００３２】
本発明の一実施形態の照明器具１０では、第１反射板１６の第１突き合わせ面３１を第２反射板２０の第２突き合わせ面３８に突き合わせると、互いの突き合わせ面３１，３８において第１ソエ板部材１５の一方の端縁部４５が第２ソエ板部材１９の他方の端縁部４７に嵌合されるとともに、互いの鍔部３４，４１において係止部５０が係止部受５２に係止される。
従って、本発明の一実施形態の照明器具１０では、連結された各反射板１６，２０に段差を生ずることがなく意匠面で良好にすることができるとともに生産性の向上を図ることができる。
【００３３】
なお、前記各実施形態で使用した各反射板アダプタ１４，１８、安定器２１、ソケット支持部材２２、ランプソケット２３等は例示したものに限定するものではなく適宜変更が可能である。
【符号の説明】
【００３４】
１  天井面
１０  照明器具
１３  第１器具本体（器具本体）
１５  第１ソエ板部材（一方のソエ板）
１６  第１反射板（反射板）
１７  第２器具本体（器具本体）
１９  第２ソエ板部材（他方のソエ板）
２０  第２反射板（反射板）
３１  第１突き合わせ面（突き合わせ面）
３４、４１  鍔部
３８  第２突き合わせ面（突き合わせ面）
４５  一方の端縁部（凹状部）
４７  他方の端縁部（凸状部）
５０  係止部
５２  係止部受
【図１】
2011113748.tif 000003
【図２】
2011113748.tif 000004
【図３】
2011113748.tif 000005
【図４】
2011113748.tif 000006
【図５】
2011113748.tif 000007
【図６】
2011113748.tif 000008
【図７】
2011113748.tif 000009
【図８】
2011113748.tif 000010
【図９】
2011113748.tif 000011
【図１０】
2011113748.tif 000012
【図１１】
2011113748.tif 000013
【図１２】
2011113748.tif 000014
【図１３】
2011113748.tif 000015
【図１４】
2011113748.tif 000016